(57)【特許請求の範囲】
【請求項１】
テーブル甲板（１）、テーブル脚（２）、及びテーブル脚（２）とテーブル甲板（１）との間に設けられる取付け具（３）を持つテーブルであって、取付け具（３）が凹所（５）を有する保持部分（４）を持ち、取付け具（３）から取外し可能なテーブル脚（２）が凹所（５）へはまるものにおいて、保持部分（４）に作用する力により取付け具（３）に対して保持部分（４）が移動することによって、テーブル脚（２）が保持部分（４）の凹所（５）に締付け可能であり、保持部分（４）に作用する力が除去されることによって、テーブル脚（２）が凹所（５）から取外し可能であることを特徴とする、テーブル。
【請求項２】
保持部分（４）が取付け具（３）に対して移動可能に支持されていることを特徴とする、請求項１に記載のテーブル。
【請求項３】
梁状の保持部分（４）が、支持部（９）を介して取付け具（３）に揺動可能に支持され、かつ支持部（９）に関して凹所（５）とは反対の側に締付け素子（１０）を持ち、この締付け素子（１０）により、保持部分（４）に作用する力が形成されることを特徴とする、請求項１又は２に記載のテーブル。
【請求項４】
テーブル脚（２）が凹所（５）を貫通するボルト（１２）を持っていることを特徴とする、請求項１〜３の１つに記載のテーブル。
【請求項５】
テーブル脚（２）がねじ結合部（１１）を介して凹所（５）へはまっていることを特徴とする、請求項１〜４の１つに記載のテーブル。
【発明の詳細な説明】
【技術分野】
【０００１】  本発明は、テーブル甲板、テーブル脚、及びテーブル脚とテーブル甲板との間に設けられる取付け具を持つテーブルであって、取付け具が凹所を有する保持部分を持ち、取付け具から取外し可能なテーブル脚が凹所内へ突出しているものに関する。
【背景技術】
【０００２】  テーブル脚をテーブル甲板から取外すために、ばね荷重を受けるストッパをテーブル脚へ押付けて、テーブル脚とテーブル甲板との間に設けられる取付け具からテーブル脚を引抜くことができるようにすることが、従来技術から公知である（ドイツ連邦共和国特許第４３４０８０７号明細書）。更に取付け具は、テーブル甲板に対する種々の揺動位置にテーブル脚を固定する機能を持ち、固定ボルトが取付け具の保持部分とテーブル脚との間の締付け結合部を提供し、その際テーブル脚が保持部分の凹所へはまっている。ドイツ連邦共和国特許第４３４０８０７号明細書は、テーブル甲板又は取付け具から取外し可能なテーブル脚に対して、構造的に簡単で簡単に取扱い可能なテーブル脚を開示していない。【０００３】  更にボルトを介してテーブル甲板とテーブル脚を結合することが公知である。この場合もテーブル脚を取外す際、比較的高い費用が生じる。それに加えて、ねじ結合では、テーブル脚の意に反する取外しを防止できない。
【発明の概要】
【発明が解決しようとする課題】
【０００４】  従って本発明の課題は、最初にあげた種類のテーブルにおいて、テーブル脚の取外しの際取外しを改善し、取外し可能なテーブル脚の確実な取付けを保証する簡単な構造を提供することである。
【課題を解決するための手段】
【０００５】  本発明は、保持部分に作用する力により取付け具に対して保持部分が移動することによって、テーブル脚が保持部分の凹所に締付け固定可能であり、保持部分に作用する力が除去されることによって、テーブル脚が凹所から取外し可能であることによって、与えられた課題を解決する。【０００６】  保持部分へ作用する力の変化の際、テーブル脚と取付け具との締付け結合部が開いて、テーブル脚が取付け具から取外し可能であるように、テーブル脚が保持部分の凹所へ突出していると、本発明により比較的簡単に取扱い可能な急速動作鎖錠装置が提供される。なぜならば、作用する力の比較的簡単な変化により、例えば保持部分にかかる荷重を除くか又はこれに荷重を加えることにより、テーブル脚に対して凹所を移動し、かつ／又は保持部分の変形によりその寸法を変化して、テーブル脚と取付け具との締付け結合部を形成することができる。これは、例えば保持部分の曲げ、回転、移動及び／又は揺動により、構造的に簡単に解決可能である。こうして締付け結合部が、一方ではテーブル脚と凹所又は保持部分との間に、他方ではテーブル脚と取付け具の他の部分との間に生じるか又はテーブル脚を凹所又は保持部分との間にのみ生じる。したがって従来技術とは異なり、テーブル脚の手間のかかる取外しをなくすことができ、それにより特に簡単に取扱い可能な結合部が形成される。更に保持部分に作用する力の大きさに応じて、テーブル脚の予期しない取外しを防止することができるので、取外し可能なテーブル脚の確実な保持が保証される。それに加えて締付け結合部は製造公差に対して敏感ではなく、従って本発明によれば、更にこのようなテーブルのため構造的に簡単な解決策が提供される。【０００７】  締付け結合部がテーブル脚と凹所との間に形成されていると、簡単な構造状態が生じ、これは例えば凹所の傾斜、揺動及び／又は回転により又は曲げによる凹所の変形によって構造的に解決される。【０００８】  テーブル脚を差込むための取扱いは、テーブル脚が、遊隙をもって取付け具の開口を通って、保持部分の凹所内へ突出していることによって、更に簡単化される。更に保持部分が取付け具に対して移動可能に支持されていると、それによりテーブル脚の取付けが簡単化される。なぜならば、テーブル脚をテーブル甲板の縁と同一面をなして終らせるために、保持部分が移動可能だからである。【０００９】  梁状保持部分が、取付け具に支持され、その縦範囲に対して傾斜して曲げ荷重をかけられていると、構造状態を簡単化することができる。力の作用は、締付け素子によりなるべく凹所から遠い方の側で行うのがよく、その際梁状保持部分は特に可動支持部を介して支持されている。実験の結果、テーブル脚を取付け具又はテーブル甲板に確実に固定的に締付けるのに、保持部分における僅かな曲げ応力で充分であることがわかった。【００１０】  凹所が保持部分を貫通する穴であり、テーブル脚のボルトがこの穴内へ突出していると、製造公差に関して余裕のある構造状態が生じる。【００１１】  僅かな力の作用でもテーブル脚と取付け具との締付けを行うことができるようにするため、凹所とテーブル脚との間にはまり合い結合部特にねじ結合部が設けられている。特に���じ結合がこのために行われる。なぜならば両方のねじ部を互いに締めることにより、テーブル脚と取付け具との間の構造的に比較的簡単な締付け結合またはテーブル甲板におけるテーブル脚の固定が行われるからである。【００１２】  図１及び２には本発明の実施例が示されている。
【図面の簡単な説明】
【００１３】
【図１】  テーブルの隅の断面図を示す。
【図２】  図１に示す部分を三次元の分解図で示す。
【発明を実施するための形態】
【００１４】  テーブルの隅の図１に例として示した断面は、大体においてテーブル甲板１、テーブル脚２および取付け具３を持ち、取付け具３はテーブル甲板１と取外し可能なテーブル脚２との間に設けられている。取付け具３には凹所５を持つ保持部分４が付属し、取付け具３から取外し可能なテーブル脚２がこの凹所５内へ突出している。取付け具３を受入れるため、テーブル甲板１に凹所７が設けられ、取付け具３を取付けける際この凹所７が、テーブル甲板１に対して取付け具３を心出しするのに役立つ。本発明によれば、テーブル脚２が保持部分４の凹所５内へ突出して、保持部分４へ作用する力が変化する際、テーブル脚２と保持部分４の凹所５との間に締付け結合部８が形成されるようにしている。すなわち保持部分４は梁として構成され、支持部９を介して取付け具３に支持されている。梁状保持部分４は、その縦範囲に対して傾斜してほぼ直角に、ボルトとして構成される締付け素子１０により、凹所５から遠い方の梁側で、力の作用を受ける。保持部分４へ作用する力の変化により、梁４が支持部９を介して傾斜しかつ／又は変形し、こうして締付け結合部８を形成する。図１に示すように、締付け結合部８が凹所５とテーブル脚２との間に現れる。しかしテーブル脚２が保持部分４により更に取付け具３の一部に押付けられることによって、このような締付け結合部８のために取付け具３も共に作用することも考えられる。換言すれば、締付け結合部８は、保持部分４の凹所５の一部とテーブル脚２と取付け具３の一部との間に形成されるが、これは詳細には示されていない。同様にテーブル脚２は、締付け結合部８によりテーブル甲板１及び／又は取付け具３へ固定的に引付けられるので、この接触範囲に摩擦結合が形成される。
【００１５】  凹所５とテーブル脚２との間に、はまり合い結合部しかもねじ結合部１１が設けられていると、特にテーブル脚２と凹所５との間の締付け結合部８にとって有利であることがわかった。即ち凹所５は、テーブル脚２のボルト１２の雄ねじ特に付加ねじと共同作用する雌ねじを持っている。ボルト１２はねじ溝付き棒として構成することもできる。それにより僅かな曲げ力でも、テーブル脚２と取付け具３又はテーブル甲板１との確実な結合のために充分な締付け結合部８を形成することができる。
【００１６】  テーブル脚２は、遊隙１３をおいて取付け具３の開口１４を通って、取付け具３に対して移動可能に支持される保持部分４の凹所５内へ突出している。従ってテーブル甲板１に対するテーブル脚２の取付け点が変化可能であり、それにより例えば製造公差を補償することもできる。更にテーブル脚２は締付け結合部８によりテーブル甲板１及び／又は取付け具３へ固定的に引付けられ、それにより、テーブル脚２が既に取付け具３により固定的に締付けられると、遊隙１３をおいて取付け具３の開口１４内へ突出するテーブル脚２の望ましくない移動を阻止することができる。
【００１７】  更に取付け具３は、取付け点１５を介して、例えば図示しない木ねじによりテーブル甲板１と固定的に結合されている。
【符号の説明】
【００１８】  １      テーブル甲板
２      テーブル脚
３      取付け具
４      保持部分
５      凹所
８      締付け結合部
【図１】
0005057175.tif 000002
【図２】
0005057175.tif 000003